(57)【特許請求の範囲】
【請求項１】
配電線の周囲を囲むようにセンサ部を位置させることにより該配電線に流れる電流特性を測定する電流計の当該センサ部を開閉する開閉道具であって、
電流計のセンサ部が電流計本体側に固設されている固定部と回動支点を中心に回動可能に設けられている回動部を備えて該回動部を固定部に接近させる方向に付勢手段の付勢力により回動されることによって電流特性を測定可能に配電線を挿通させる計測領域を閉止するとともに、該回動部の回動支点よりも電流計本体側に延在して外方に突出する開閉部を押さえて固定部から離隔させる方向に当該回動部を回動させることによって配電線を内部に挿通可能に該計測領域を開放するように設計されているのに対して、
電流計のセンサ部の回動部の計測領域側の内面に接触させる引掛部、および、電流計のセンサ部の回動部の開閉部を押圧する押圧部を備える開閉道具本体と、該開閉道具本体を先端側に連設されて遠隔位置の電流計のセンサ部の開閉を操作する操作棒と、開閉道具本体の基端部および操作棒の先端部の間に介装されて互いの延在方向の交差する角度を調整可能に連結する連結部材と、を備えて、
開閉道具本体は、基端部を連結部材に連結させて該基端部から離隔する方向に延長されている支持部の延長方向に位置するように引掛部および押圧部を該支持部が支持して、回動操作時に該引掛部が電流計の回動部の内面に接触しつつ該押圧部が電流計の開閉部を押さえる箇所に位置する位置関係になるように、当該引掛部から押圧部を経て操作棒の先端に連結する箇所までを人手により屈曲可能な強度の１本の棒材料により作製し、かつ、少なくとも引掛部および押圧部の表面に滑り止め手段を施していることを特徴とする開閉道具。
【請求項２】
上記請求項１に記載の開閉道具における開閉道具本体で構成される開閉アダプタあって、
当該開閉道具本体の基端部に、汎用の操作棒に着脱可能な構造が設けられていることを特徴とする開閉アダプタ。
【発明の詳細な説明】
【技術分野】
【０００１】
本発明は、開閉道具および開閉アダプタに関し、詳しくは、配電線の周囲を囲むように位置させる電流計のセンサ部を開閉する際に用いるものに関する。
【背景技術】
【０００２】
従来、配電線などに流れる電流を導通接続することなく測定する場合には、クランプ式電流計が多用されており、例えば、図７に示すように、クランプ式電流計１００は、電流計本体に固設されている固定部１１１と、回動軸（回動支点）１１２ａを中心に回動可能に軸支されている回動部１１２と、を備えるクランプ部（センサ部）１１０により配電線Ｄを挿通させる計測領域Ｓを形成する。このクランプ式電流計１００は、回動部１１２が不図示の付勢手段により固定部１１１に接近する方向に付勢されており、その回動部１１２を固定部１１１から離隔する方向に回動させることによりクランプ部１１０内を開放状態にして測定対称の配電線Ｄを計測領域Ｓ内に挿通状態にさせることができ、また、その回動部１１２が付勢力により固定部１１１に接近してその計測領域Ｓを閉止することにより、その配電線Ｄの周囲を周回するコイルをクランプ部１１０で形成して、配電線Ｄに流れる電流を測定することができる。
【０００３】
このクランプ式電流計１００では、回動部１１２の回動軸１１２ａの反対側で外方に突出する開閉部１１２ｂが形成されており、配電線Ｄをクランプ部１００内に挿通状態にする場合には、その開閉部１１２ｂを押さえることにより回動部１１２を固定部１１１から離隔する開方向に回動させることができるように設計されている。
【０００４】
ここで、このクランプ式電流計１００は、高圧電流の流れる配電線Ｄに取り付けて電流測定を行う場合もある。このような場合に、電流を止めることなく遠隔位置から作業する間接活線工法を採用するときには、図８に示すように、絶縁操作棒２００の先端に設けられているケース２２０内にクランプ式電流計１００をセットして保持することにより、図９に示すように、高所の配電線Ｄに取り付けてぶら下げた状態にし、測定電流値をメモリカード内に記録させるようにして利用することができる。
【０００５】
このとき、このクランプ式電流計１００は、回動部１１２が固定部１１１方向に付勢されてクランプ部１１０が閉状態になっていることから、配電線Ｄに取り付ける際には、その回動部１１２を固定部１１１から離隔する方向に回動させてそのクランプ部１１０を開状態にする必要があり、例えば、図１０に示すフック３１０を有するアダプタ３００を後述の絶縁操作棒１３（図４を参照）の先端に取り付けてその回動部１１２を回動させる作業を行う場合がある。
【０００６】
しかるに、このアダプタ３００では、フック３１０の先端をクランプ部１１０内に差し込んで回動部１１２を外方に回動させるように作業することから、その回動部１１２を上方に引き上げてしまって絶縁操作棒２００先端のケース２２０から高価なクランプ式電流計１００を脱落させてしまう可能性がある。
【０００７】
このことから、図１１に示すアダプタ４００を絶縁操作棒１３の先端に取り付けることにより、クランプ式電流計１００のクランプ部１１０の回動部１１２のみを回動させる操作を行い得るようにすることが考えられる（例えば、特許文献１参照）。このアダプタ４００は、クランプ部１１０内に差し込んで回動部１１２に引っ掛けることのできる引掛部４１０に加えて、クランプ式電流計１００をセットした別の絶縁操作棒２００先端のケース２２０の突出片２２１に引っ掛けて揺動（回動）させることができるように、引掛部４１０と平行な支点部４２０が設けられている。
【０００８】
このアダプタ４００では、図１２に示すように、絶縁操作棒２００先端のケース２２０の突出片２２１に支点部４２０を引っ掛けて回動支点として機能させることができ、絶縁操作棒１３をその支点部４２０を中心に回動させるだけの動作に実質的に制限することができる。この結果、アダプタ４００は、クランプ部１１０内に差し込んだ引掛部４１０をその回動部１１２の内面に引っ掛けて外方に回動のみさせることができ、クランプ式電流計１００を絶縁操作棒２００先端のケース２２０から脱落させることなく、クランプ部１１０を開状態にして配電線Ｄに取り付けてぶら下げることができる。
【０００９】
しかるに、このアダプタ４００では、突出片２２１が形成されているケース２２０がない場合には、有効に利用することができず、また、別の絶縁操作棒２００先端のケース２２０に絶縁操作棒１３を実質的に吊り下げたような形になることから作業し難いという課題があった。
【特許文献１】特開２００５−３３７９６１号公報
【発明の開示】
【発明が解決しようとする課題】
【００１０】
そこで、本発明は、クランプ式電流計を保持する絶縁操作棒とは関係なく取り扱って、そのクランプ部を容易に開状態にすることのできる開閉道具を実現することにより、そのクランプ式電流計の遠隔位置へのセットを容易に行い得るようにして、電流の測定作業を軽減することを目的とする。
【課題を解決するための手段】
【００１１】
上記課題を解決する開閉道具の第１の発明は、配電線の周囲を囲むようにセンサ部を位置させることにより該配電線に流れる電流特性を測定する電流計の当該センサ部を開閉する開閉道具であって、電流計のセンサ部が電流計本体側に固設されている固定部と回動支点を中心に回動可能に設けられている回動部を備えて該回動部を固定部に接近させる方向に付勢手段の付勢力により回動されることによって電流特性を測定可能に配電線を挿通させる計測領域を閉止するとともに、該回動部の回動支点よりも電流計本体側に延在して外方に突出する開閉部を押さえて固定部から離隔させる方向に当該回動部を回動させることによって配電線を内部に挿通可能に該計測領域を開放するように設計されているのに対して、電流計のセンサ部の回動部の計測領域側の内面に接触させる引掛部、および、電流計のセンサ部の回動部の開閉部を押圧する押圧部を備える開閉道具本体と、該開閉道具本体を先端側に連設されて遠隔位置の電流計のセンサ部の開閉を操作する操作棒と、を備えることを特徴とするものである。
【００１２】
この発明では、操作棒の先端にセットして遠隔位置の配電線の近傍に移動させた電流計のセンサ部の回動部の内面側に、別の操作棒先端の開閉道具本体の引掛部を位置させるとともに、その開閉道具本体の押圧部をそのセンサ部の開閉部を押圧する箇所に位置させた状態で、操作棒同士の手元を接近させる方向に移動させることにより、電流計のセンサ部の開閉部を押圧部で押さえるのと同時にそのセンサ部の回動部の内面に引っ掛けた引掛部をセンサ部の固定部から離隔する方向に回動させることができ、そのセンサ部の回動部を固定部から離隔する方向に付勢手段による付勢力に抗して回動させることができる。したがって、電流計のセンサ部の回動部を固定部から離隔する方向に容易に回動させることができ、配電線を内部の計測領域に挿通可能にセンサ部を容易に開状態にすることができる。
【００１３】
上記課題を解決する開閉道具の第２の発明は、上記第１の発明の特定事項に加え、前記開閉道具本体の基端部および操作棒の先端部の間に、互いの延在方向の交差する角度を調整可能に連結する連結部材を介装したことを特徴とするものである。
【００１４】
この発明では、引掛部と押圧部を備える開閉道具本体の操作棒に対する延在方向（交差方向）を調整することができ、遠隔位置に保持されている電流計（センサ部の回動部）へのアプローチ方向を調整して容易に作業することができる。したがって、電流計のセンサ部の回動部に引掛部を容易に引っ掛けて固定部から離隔する方向に回動させることができ、配電線を内部の計測領域に挿通可能にクランプ部を容易に開状態にすることができる。
【００１５】
上記課題を解決する開閉道具の第３の発明は、上記第１または第２の発明の特定事項に加え、前記開閉道具本体の引掛部から押圧部を経て操作棒の先端に連結する箇所までを連続する１本の棒材料により作製したことを特徴とするものである。
【００１６】
この発明では、引掛部と押圧部とを備える開閉道具本体を１本の棒材料により作製することができる。したがって、削り出しや組み立て作業などのように手間が掛かることがなく、例えば、１本の棒材料を屈曲させて引掛部や押圧部を形成することにより開閉道具本体を安価に作製することができ、電流計のセンサ部を容易に開閉操作することのできる道具を安価に準備することができる。
【００１７】
上記課題を解決する開閉道具の第４の発明は、上記第３の発明の特定事項に加え、前記棒材料として、人手により屈曲可能な強度の材料を選択することを特徴とするものである。
【００１８】
この発明では、引掛部や押圧部を備える１本の棒材料の開閉道具本体を特別な道具によらずに人手により容易に屈曲させることができる。したがって、操作棒に対する引掛部と押圧部の姿勢を容易に微調整することができ、遠隔位置に保持されている電流計（センサ部の回動部）に応じてアプローチ角度を微調整して無理のない姿勢で容易に作業することができる。
【００１９】
上記課題を解決する開閉道具の第５の発明は、上記第１から第４のいずれかの発明の特定事項に加え、前記引掛部および押圧部を操作棒からの延長線上に配設したことを特徴とするものである。
【００２０】
この発明では、操作棒の延長線上の引掛部や押圧部を電流計のセンサ部の回動部などに接触させて操作することができる。したがって、引掛部や押圧部が電流計のセンサ部の回動部に接触する箇所（所謂、作用点）が操作棒の延長線上から外れてしまうことにより、開閉道具本体が回動してしまうことがなく、操作棒を安定して操作し作業することができる。
【００２１】
上記課題を解決する開閉道具の第６の発明は、上記第１から第５のいずれかの発明の特定事項に加え、少なくとも前記引掛部および押圧部の表面に滑り止め手段を施していることを特徴とするものである。
【００２２】
この発明では、引掛部や押圧部を電流計のクランプ部の回動部側に滑ることなく圧接させて操作することができる。したがって、引掛部や押圧部が滑って電流計のクランプ部の回動部を回動させる操作を妨げてしまうことがなく、操作棒を安定して操作し作業することができる。
【００２３】
上記課題を解決する開閉アダプタの第１の発明は、上記第１から第６のいずれかの発明の開閉道具における開閉道具本体の基端部に、汎用の操作棒に着脱可能な構造が設けられていることを特徴とするものである。
【００２４】
この発明では、汎用の操作棒先端に取り付けるだけで開閉道具として利用することができる。したがって、他のアダプタと汎用の操作棒を共通利用することができ、負担なく準備することができる。
【発明の効果】
【００２５】
本発明によれば、電流計本体に準備されている開閉部を押さえつつ回動部を引っ掛けて回動させることができるので、無駄な動きをして電流計本体を引き上げるような操作になってしまうことなく、回動部の回動のみを容易かつ信頼性高く行うことができる。したがって、例えば、絶縁操作棒を用いる間接活線工法でも電流計を容易に遠隔位置の配電線などにセットすることができ、電流の測定作業を軽減することができる。
【発明を実施するための最良の形態】
【００２６】
以下、本発明の最良の実施形態を図面に基づいて説明する。図１〜図５は本発明に係る開閉アダプタを操作棒の先端に取り付けた開閉道具の一実施形態を示す図である。ここで、本実施形態は、例えば、図７〜図９で説明するように、絶縁操作棒２００の先端のケース２２０などにセットして遠隔位置の配電線Ｄの近傍に移動させたクランプ式電流計１００のクランプ部１１０を開閉することにより、その配電線Ｄにクランプ式電流計１００を取り付けてぶら下げた状態にする場合に、好適に利用することのできるものであることから、その図面を流用して、同様の構成には同一の符号を付して説明する。
【００２７】
図１において、開閉道具１０は、クランプ式電流計１００のクランプ部１１０を開閉する際に用いる専用の開閉アダプタ（開閉道具本体）１１と、この開閉アダプタ１１を含む各種アダプタを先端側に取付支持するとともにその取付角度（延在方向の交差角度）を調整することのできる汎用の菊座アダプタ（連結部材）１２と、この菊座アダプタ１２を含む各種アダプタを先端側に取付支持して遠隔位置での各種作業を実現する汎用の絶縁操作棒１３と、を組み立てることにより作製されており、クランプ式電流計１００のクランプ部１１０を開閉操作するのに適した角度になるように、絶縁操作棒１３の先端の菊座アダプタ１２に開閉アダプタ１１を取り付けて使用する。すなわち、この開閉道具１０では、他の各種アダプタを取付可能な汎用の菊座アダプタ１２と絶縁操作棒１３を共通使用して開閉アダプタ１１を取り付けるだけで利用することができる。
【００２８】
開閉アダプタ１１は、図２に示すように、概略コの字形状に形成されている操作部２１と、この操作部２１から連続して延在するように形成されてその操作部２１を所望の位置に支持する支持部２２と、この支持部２２の基端側（操作部２１の反対側）に形成されて菊座アダプタ１２に取り付けられる取付部２３と、を備えるように、棒材料を屈曲させた一体構造に作製されている。すなわち、この開閉アダプタ１１は、削り出しや組み立て作業などのように手間を掛けることなく、例えば、１本の棒材料を屈曲させるだけで操作部２１や支持部２２や取付部２３を容易かつ安価に作製されている。
【００２９】
開閉アダプタ１１の操作部２１は、クランプ式電流計１００のクランプ部１１０の計測領域Ｓ内に先端側から差し込んで引っ掛けることにより本体側に対して略鉛直姿勢となる回動部１１２の内面に当接させる引掛部２１ａと、この引掛部２１ａの後端側から連続して略直角に屈曲する連続部２１ｂと、この連続部２１ｂからさらに連続して引掛部２１ａと平行になるように略直角に屈曲することによりクランプ式電流計１００の本体側を押圧可能に形成されている押圧部２１ｃと、を備えるように作製されており、この操作部２１は、クランプ式電流計１００のクランプ部１１０の回動部１１２の略鉛直の内面に引掛部２１ａを当接させたときに、その回動部１１２の開閉部１１２ｂに押圧部２１ｃが押圧可能に当接するように連続部２１ｂの寸法が設定されている。また、この開閉アダプタ１１の操作部２１は、当接させる引掛部２１ａや押圧部２１ｃが滑らないように、例えば、ゴム材料等の滑り止め材料が浸漬されるなどして外面に被覆されており、この開閉アダプタ１１では、支持部２２を含めてその滑り止め材料で被覆されている。
【００３０】
また、開閉アダプタ１１の支持部２２は、この操作部２１の押圧部２１ｃから連続してその押圧部２１ｃ側に大きく屈曲した後にさらに離隔方向に屈曲して連続部２１ｂと平行になるように形成されており、この支持部２２は、操作部２１の引掛部２１ａと押圧部２１ｃの略中央（ｗ１≒ｗ２）を延長方向が通過するように形成されている。そして、この開閉アダプタ１１の取付部２３は、その支持部２２から連続して円弧形状を形成するように屈曲されている。これにより、この開閉アダプタ１１では、後述するように、操作部２１の引掛部２１ａがクランプ式電流計１００のクランプ部１１０の回動部１１２の内面に引っ掛けられるとともに、その操作部２１の押圧部２１ｃが回動部１１２の開閉部１１２ｂを押圧する際には、それぞれの作用点が絶縁操作棒１３の先端からの支持部２２の延長方向に略一致して回転力を発生させてしまうことがなく、取付部２３が菊座アダプタ１２から簡単に外れてしまうことがない。
【００３１】
菊座アダプタ１２は、図３に示すように、開閉アダプタ１１の取付部２３を連結接続するヘッド部３１と、絶縁操作棒１３の先端に連結接続するジョイント部３５と、が棒状の両端側に配置されている。
【００３２】
ここで、この菊座アダプタ１２は、ヘッド部３１を相似形状に形成された相手部材のヘッド部に周方向に連続する突起３１ａを噛み合い係合させることにより連結接続することのできる汎用のものであり、このヘッド部３１は、その中心に立設されているボルト３２に蝶ネジ３３を螺合させることにより相手部材のヘッド部を所望の取付角度で連結接続することができるように設計されている。このため、開閉アダプタ１１は、取付部２３の円弧形状内に菊座アダプタ１２のヘッド部３１のボルト３２を差し込んで蝶ネジ３３を螺合させることにより、その取付部２３を突起３１ａに押し付けるようにして固定することができ、所望の取付角度になるように連結接続することができる。
【００３３】
また、この菊座アダプタ１２のジョイント部３５は、絶縁操作棒１３の先端部を差込可能に基端部の後端面が開口する有底の円筒形状に形成されており、その円筒部の互いに反対側となる周面が概略Ｔ字形状に切り欠かれることにより、後端面（絶縁操作棒１３）側から先端側に向う差込切欠部３６と、この差込切欠部３６の直交方向の両側に連続するように屈曲する係合切欠部３７と、が一対形成されている。
【００３４】
これに対して、絶縁操作棒１３は、図４に示すように、先端部の互いに反対側となる側面に突起形状に一対立設されることにより菊座アダプタ１２のジョイント部３５の２箇所の切欠部３６、３７内に挿し込んで係合させることのできるピン４１と、先端部の先端面に配設されて不図示の内蔵スプリングにより突出方向に付勢されている突起４２と、先端部の側面に刻設されている不図示のネジ形状に螺合して進退可能なグリップ４３と、滑り難い材質の取替え可能な滑り止が施されて作業員の把持する基端部側の把持部４４と、を備えている。
【００３５】
これにより、絶縁操作棒１３は、菊座アダプタ１２のジョイント部３５内に先端部を差し込んで突起４２を内蔵スプリングの弾性力に抗して沈ませつつ、ピン４１の双方をそのジョイント部３５の切欠部３６、３７内に進入させて回転させた後に、その進入させる力を解放すると、突起４２がスプリングの弾性力により突出してジョイント部３５を押し出すことになり、その係合切欠部３７から屈曲する係合溝３７ａ内にピン４１を離脱不能に係合させることができる。さらに、この絶縁操作棒１３は、グリップ４３を回転させてジョイント部３５側に寄せることによりピン４１が係合溝３７ａ内から離脱して回転しないようにロックすることができ、菊座アダプタ１２（開閉アダプタ１１）が相対回転して外れてしまうことを信頼性高く防止して取り扱い易くすることができる。ここで、この絶縁操作棒１３は、中間部分に傘カバー４５、４６が取り付けられているとともに、全体をプラスチックなどの絶縁材料で作製されることにより絶縁性が確保されており、先端側の傘カバー４５が開閉アダプタ１１側からの水分を滴下させるとともに、基端側の傘カバー４６が安全に作業を行い得る限界位置を示して、作業する際の安全を確保している。
【００３６】
したがって、この開閉道具１０は、図５に示すように、絶縁操作棒１３の先端に菊座アダプタ１２を取り付けると共にその菊座アダプタ１２に開閉アダプタ１１を取り付けることにより、図７〜図９で説明する絶縁操作棒２００の先端のケース２２０内にセットしたクランプ式電流計１００と一緒に、その開閉アダプタ１１を配電線Ｄに停電の必要なく接近させることができ、開閉アダプタ１１の操作部２１の引掛部２１ａをそのクランプ式電流計１００のクランプ部１１０の計測領域Ｓ内に差し込んで回動部１１２の略鉛直の内面に当接させるように位置決めすると、その操作部２１の押圧部２１ｃをその回動部１１２の開閉部１１２ｂ上に当接させることができる。
【００３７】
このとき、開閉アダプタ１１は、操作部２１の引掛部２１ａをクランプ式電流計１００のクランプ部１１０の回動部１１２の内面に当接させつつ、その操作部２１の押圧部２１ｃを回動部１１２の開閉部１１２ｂ上に当接させた状態にすることが、作業員の位置関係などから難しい場合には、菊座アダプタ１２への取付角度を調整することができ、最適な作業姿勢で容易に作業することができる。
【００３８】
そして、この開閉道具１０は、クランプ式電流計１００を先端側のケース２２０内に保持セットした絶縁操作棒２００の手元に、菊座アダプタ１２を介して開閉アダプタ１１を先端に取り付けた絶縁操作棒１３の手元（把持部４４）を接近させる方向に移動させることにより、開閉アダプタ１１の操作部２１（引掛部２１ａや押圧部２１ｃ）が滑ってしまうことなく、また、支持部２２を中心にして回転してしまうことなく、クランプ式電流計１００のクランプ部１１０の回動部１１２の開閉部１１２ｂを押さえるのと同時にその回動部１１２の内面を引掛部２１ａで引っ掛けて回動させることができ、その回動部１１２を固定部１１１に接近させる閉方向への付勢力に抗してその固定部１１１から離隔させる方向に容易に回動させてクランプ部１１０を開状態にすることができる。
【００３９】
この結果、開閉道具１０は、絶縁操作棒１３を安定して操作して容易にクランプ式電流計１００のクランプ部１１０を開状態にすることができ、測定対称の配電線Ｄをそのクランプ部１１０の計測領域Ｓ内に挿通する状態にすることができ、この後には、その開閉アダプタ１１の操作部２１をクランプ部１１０の回動部１１２から外すだけで、その回動部１１２が付勢力により固定部１１１に接近してそのクランプ部１１０を閉状態にすることにより、そのクランプ式電流計１００を配電線Ｄに取り付けてぶら下げた状態にし、その配電線Ｄの周囲を周回するコイルをクランプ部１１０で形成して流れる電流を測定することができる。この配電線Ｄの電流測定が終了した後には、そのクランプ式電流計１００を絶縁操作棒２００先端のケース２２０内にセットして保持させた状態で、そのクランプ式電流計１００を下方に引っ張るだけで、例えば、絶縁操作棒１３先端の開閉アダプタ１１の操作部２１の引掛部２１ａをそのクランプ部１１０内に差し込んで下方に牽引するだけで、クランプ部１１０の回動部１１２を付勢力に抗して回動させて配電線Ｄから外すことができる。
【００４０】
このように本実施形態においては、絶縁操作棒１３の先端に開閉アダプタ１１を取り付けることにより、クランプ式電流計１００のクランプ部１１０の回動部１１２に準備されている開閉部１１２ｂを操作部２１の押圧部２１ｃで押さえつつ、そのクランプ部１１０の回動部１１２を引掛部２１ａで引っ掛けて回動させることができ、また、配電線Ｄ近傍のクランプ式電流計１００に接近させる開閉アダプタ１１のアプローチ角度を菊座アダプタ１２により調整することができる。したがって、開閉アダプタ１１が上方にせり上がるなど無駄な動きをしてクランプ部１１０の回動部１１２を引き上げてしまうことにより、クランプ式電流計１００を絶縁操作棒２００先端のケース２２０内から脱落させてしまうことを少なくすることができ、そのクランプ部１１０の回動部１１２を容易かつ安定して回動させることができる。よって、開閉道具１０を用いて間接活線工法によりクランプ式電流計１００を容易かつ安全に配電線Ｄに着脱することができる。
【００４１】
ここで、本実施形態の他の形態としては、図６に示すように、開閉アダプタ１１の操作部２１、支持部２２および取付部２３を人手により屈曲可能な強度の棒材料により作製しても良い。この場合には、例えば、菊座アダプタ１２による取付角度を調整するまでもないようなときに、絶縁操作棒１３からの支持部２２の延在角度αを適宜屈曲させて操作部２１のアプローチ角を微調整することができる。
【産業上の利用可能性】
【００４２】
これまで本発明の一実施形態について説明したが、本発明は上述の実施形態に限定されず、その技術的思想の範囲内において種々異なる形態にて実施されてよいことは言うまでもない。
【図面の簡単な説明】
【００４３】
【図１】本発明に係る開閉アダプタを先端に取り付けた開閉道具の一実施形態を示す図であり、その概略全体構成を示す立面図である。
【図２】その要部部品の開閉アダプタを示す図であり、（ａ）はその平面図、（ｂ）はその側面図である。
【図３】その要部部品の菊座アダプタを示す平面図である。
【図４】その要部部品の絶縁操作棒を示す平面図である。
【図５】その使用を説明する斜視図である。
【図６】その他の態様を示す図であり、その要部部品の開閉アダプタを示す図２（ｂ）に対応する側面図である。
【図７】その開閉道具を利用して操作するクランプ式電流計を示す平面図である。
【図８】そのクランプ式電流計をセットする絶縁操作棒の先端のケースを示す斜視図である。
【図９】そのクランプ式電流計の使用を説明する斜視図である。
【図１０】そのクランプ式電流計を配電線に取り付ける際に使用する共通使用可能な従来技術のフックを示す平面図である。
【図１１】そのクランプ式電流計を配電線に取り付ける際に使用する専用の従来技術の開閉アダプタを示す平面図である。
【図１２】その従来技術の使用を説明する斜視図である。
【符号の説明】
【００４４】
１０……開閉道具    １１……開閉アダプタ    １２……菊座アダプタ    １３、２００……絶縁操作棒    ２１……操作部    ２１ａ……引掛部    ２１ｃ……押圧部    ２２……支持部    ２３……取付部    ３１……ヘッド部    ３２……ボルト    ３３……蝶ネジ    ３５……ジョイント部    ３６……差込切欠部    ３７……係合切欠部    ４１……ピン    ４２……突起    ４３……グリップ    ４４……把持部    ４５、４６……傘カバー    １００……クランプ式電流計    １１０……クランプ部    １１１……固定部    １１２……回動部    １１２ｂ……開閉部    ２２０……ケース    Ｄ……配電線
【図１】
0005414976.tif 000002
【図２】
0005414976.tif 000003
【図３】
0005414976.tif 000004
【図４】
0005414976.tif 000005
【図５】
0005414976.tif 000006
【図６】
0005414976.tif 000007
【図７】
0005414976.tif 000008
【図８】
0005414976.tif 000009
【図９】
0005414976.tif 000010
【図１０】
0005414976.tif 000011
【図１１】
0005414976.tif 000012
【図１２】
0005414976.tif 000013